(57)【要約】【課題】使用者が開閉蓋を開放して塵芥を投入する際に、内部の臭気が投入口から外部に漏れて拡散するのを防止することで、使用者が快適な環境の下で塵芥を投入することができる塵芥投入部の換気装置を提供する。【解決手段】塵芥を投入する投入口１ｂに開閉蓋５２が開閉自在に設けられた塵芥投入部において、投入口１ｂの周辺適所には吸気口８１が設けられるとともに、投入口１ｂの内側には吸気口８１を通じて外気を内部に吸い込むファン８３が設けられている。吸気口８１を通じて吸い込んだ外気を脱臭する脱臭手段８４が備えられている。脱臭手段８４は、吸気口８１から吸い込んだ外気が通過するように吸気口８１とファン８３との間に介装された脱臭フィルタ８５、８６である。脱臭フィルタ８５、８６は、光触媒フィルタであって、この光触媒フィルタの近傍に紫外線ランプ８７が設けられている。【選択図】  図６
2005306537.tif 000002
【特許請求の範囲】
【請求項１】
塵芥を投入する投入口に開閉蓋が開閉自在に設けられた塵芥投入部において、
前記投入口の周辺適所には吸気口が設けられるとともに、投入口の内側には吸気口を通じて外気を内部に吸い込むファンが設けられたことを特徴とする塵芥投入部の換気装置。
【請求項２】
前記吸気口を通じて吸い込んだ外気を脱臭する脱臭手段が備えられたことを特徴とする請求項１記載の塵芥投入部の換気装置。
【請求項３】
前記脱臭手段は、吸気口から吸い込んだ外気が通過するように当該吸気口とファンとの間に介装された脱臭フィルタであることを特徴とする請求項２記載の塵芥投入部の換気装置。
【請求項４】
前記脱臭フィルタは、光触媒フィルタであって、この光触媒フィルタの近傍に紫外線ランプが設けられてなることを特徴とする請求項３記載の塵芥投入部の換気装置。
【発明の詳細な説明】
【技術分野】
【０００１】
本発明は、塵芥を投入する塵芥投入部の換気装置に関する。
【背景技術】
【０００２】
例えば集合住宅などには各家庭から出る塵芥を貯留する設備を備えているところも多い。この設備としては、所定の場所に投入口が設けられており、この投入口に塵芥を投入することでシュートや投入装置を通じて容器や貯留装置などに貯留するようにしている。
【０００３】
そして、上記投入口には開閉蓋が開閉自在に設けられており、使用者はこの開閉蓋を開放して投入口に塵芥を投入している（例えば、特許文献１参照）。
【特許文献１】特開２００３−１３７４０３号公報
【発明の開示】
【発明が解決しようとする課題】
【０００４】
しかしながら、上記従来のものでは、使用者が塵芥を投入する際に開閉蓋を開けると開放された投入口から内部に充満している臭気が外部の投入口周辺に漏れ、この臭気が使用者に不快感を与えるという問題があった。
【０００５】
本発明は、上記問題点に鑑みてなされたもので、その目的とするところは、使用者が開閉蓋を開放して塵芥を投入する際に、内部の臭気が投入口から外部に漏れて拡散するのを防止することで、使用者が快適な環境の下で塵芥を投入することができる塵芥投入部の換気装置を提供することにある。
【課題を解決するための手段】
【０００６】
上記の目的を達成するため、請求項１に係る発明の塵芥投入部の換気装置は、塵芥を投入する投入口に開閉蓋が開閉自在に設けられた塵芥投入部において、前記投入口の周辺適所には吸気口が設けられるとともに、投入口の内側には吸気口を通じて外気を内部に吸い込むファンが設けられたものである。
【０００７】
請求項２に係る発明の塵芥投入部の換気装置は、前記吸気口を通じて吸い込んだ外気を脱臭する脱臭手段が備えられたものである。
【０００８】
請求項３に係る発明の塵芥投入部の換気装置は、前記脱臭手段が、吸気口から吸い込んだ外気が通過するように当該吸気口とファンとの間に介装された脱臭フィルタである。
【０００９】
請求項４に係る発明の塵芥投入部の換気装置は、前記脱臭フィルタは、光触媒フィルタであって、この光触媒フィルタの近傍に紫外線ランプが設けられてなるものである。
【発明の効果】
【００１０】
本発明によれば、開閉蓋の開放に伴ってファンを作動させて吸気口から外気を内部に吸い込むことで、投入口の外部周辺に内部の臭気が漂うのを防止することができ、使用者に不快感を与えることがなく、良好な環境の下で塵芥を投入することができる。
【発明を実施するための最良の形態】
【００１１】
以下、本発明の実施の形態について図面を参照して説明する。
【００１２】
図１は、本発明の塵芥投入部の換気装置を適用した塵芥投入装置の一例を示している。
【００１３】
塵芥投入装置１は、上部に設けられた投入ホッパ７１を通じて貯留槽７に塵芥を投入するためのものである。
【００１４】
上記貯留槽７としては、例えば図示例のようにドラムが水平軸回りに回転自在に設けられており、塵芥投入装置１によって一端部上方に設けた投入ホッパ７１に投入した塵芥をシュート７２を通じてドラム内に導入し、このドラムの回転動作により内部に設けたブレードの作用で投入ホッパ７１と反対側の排出口側に搬送して圧縮しながら貯留し、貯留した塵芥を排出口から適宜に排出するようにしている。
【００１５】
以下、塵芥投入装置１の具体的構成について図２及び図３を参照して説明する。
【００１６】
塵芥投入装置１は、装置内に組み込まれたバケット２を上方まで移送して反転させるためのもので、駆動装置３によりバケット２をガイドレール４に沿って上下に移動させることで下方位置と上方位置との間で搬送し、上方位置においてバケット２を反転させるようにしている。
【００１７】
バケット２は、その左右両側面の奥側上部にガイドローラ２１が側方に突出した状態で設けられており、これらガイドローラ２１が左右のガイドレール４に沿って転動自在に配置されている。また、バケット２の左右両側面の奥側下部には連結ローラ２２が側方に突出した状態で設けられており、当該連結ローラ２２と上記ガイドローラ２１が連結アーム２３によって連結されている。そして、連結ローラ２２から外方に突出した軸部２２ａには、後述する作動アーム３３の先端部が回動自在に支持されている。
【００１８】
前記駆動装置３は、基台１ａの上部に設けられた駆動モータ３１と、この駆動モータ３１に連繋された駆動軸３１ａに基端部が一体的に設けられた回動アーム３２と、回動アーム３２の先端部に基端部が回動自在に支持された作動アーム３３とを備え、回動アーム３２及び作動アーム３３は左右に一対設けられている。
【００１９】
回動アーム３２は、基端部が基台１ａ上部に水平に軸支された駆動軸３１ａの両側にそれぞれ一体的に設けられており、駆動モータ３１の正逆方向への駆動により上記駆動軸３１ａを介して下方に垂下する垂下位置から上方に立設する位置との間で略１８０度回動自在に設けられている。
【００２０】
作動アーム３３は、への字状に形成されており、その先端部が前記連結ローラ２２の軸部２２ａに長孔３３ａを介して回動自在に連結された構造になされている。そして、この作動アーム３３は、上記回動アーム３２の回動動作に連動して上下にその姿勢が変化しながら移動するようになっている。
【００２１】
前記ガイドレール４は、前記バケット２のガイドローラ２１及び連結ローラ２２に対応して設けられた左右一対のチャンネル材からなり、各開口部が内側になるように配置されてその内部にガイドローラ２１が、上面に連結ローラ２２が共に転動自在に配置されている。
【００２２】
また、ガイドレール４の上端部４１は奥側に所定長さ略水平に屈折形成されており、バケット２が上方位置に達した際にはガイドローラ２１がこの部分に配置されるようになされている。
【００２３】
一方、バケット２は、下方位置においてバケット受け５上に支持されるように構成されている。つまり、バケット受け５は、バケット２の底面を支持すべく該バケット２の底面よりも若干大きい形状に形成されており、当該バケット受け５でバケット２の底面を受けることによって当該バケット２を支持する。
【００２４】
上記バケット受け５は、その底面がブラケット５１を介して基台１ａ側に回動自在に設けられるともに、前部に基台１ａの前面に形成された投入口１ｂを開閉する開閉蓋５２が一体的に設けられており、下方位置に配置されてバケット受け５に支持されたバケット２が当該バケット受け５とともに回動自在になされている。
【００２５】
つまり、バケット受け５を前方に回動させて開閉蓋５２によって投入口１ｂを開放した状態ではこのバケット受け５とともにバケット２も図２に一点鎖線で示すように前方に回動して投入位置に配置され、これによりバケット２にその上面開口を通じて塵芥が投入可能になる。この投入位置では、バケット２の後面上部に設けたストッパ２ａと、バケット２の側面上下方向に突出して形成されたストッパ片２ｂとが、投入口１ｂの上端縁と両側縁とに当接することによって開き過ぎずにその位置を保持するようにしている。
【００２６】
そして、上述したようにバケット２が下方位置から投入位置に回動できるように、ガイドレール４にはガイドローラ２１が挿通できるだけの挿通口４２（図３参照）が形成されている。
【００２７】
上記投入口１ｂは、塵芥投入装置１の前方に配設された取付プレートＡ１に形成されており、この取付プレートＡ１は塵芥投入装置１を区画する隔壁Ａに設けられている。つまり、塵芥投入装置１全体は、貯留槽７とともに隔壁Ａによって外部と区画された状態で配設されている。
【００２８】
また、投入口１ｂの上部には近接センサやリミットスイッチなどの検出装置５３が設けられており、この検出装置５３が開閉蓋５２による投入口１ｂの開放・閉塞を検出することによって、後述する換気装置８の作動、バケット２の反転作動、開閉蓋５２の閉塞状態での固縛を行うようにしている。
【００２９】
さらに、バケット２側には、開閉蓋５２の開閉に伴う当該バケット２の少なくとも開閉を補助するための補助手段が設けられている。
【００３０】
補助手段は、バケット２側に左右一対のワイヤなどの線状部材６１を介して連結されたウエイト６によって構成されており、後述するバケット２の開閉動作の他、バケット２の移送及び反転動作を補助するようにしている。
【００３１】
具体的には、各ワイヤ６１は、その一端が前記作動アーム３３の先端部が連結された連結ローラ２２の軸部２２ａ先端に連結されるとともに、途中部がガイドレール４の上下部に設けられた滑車６２、６３によって当該ガイドレール４に沿って斜め上方に導かれた後、上記滑車６３から上方に導かれて基台１ａの上部に設けられた滑車６４によって下方に折り返され、他端がウエイト６を取付けて水平に配置された取付部材６５（図３参照）の両端部に連結されている。
【００３２】
上記滑車６２は、図５に示すようにガイドレール４の外側面に取付けられたアングル６２ａの上端部に設けられており、後述する作動アーム３３の作動時に当該作動アーム３３の先端部と干渉しないようになされている。また、滑車６３も作動アーム３３の作動時に当該作動アーム３３の先端部と干渉しないように滑車６２と同様な状態でアングル６３ａ（図２参照）を介して設けられている。
【００３３】
なお、図２及び図４に示す符号５４は、開閉蓋５２の下部に形成される開口を閉塞するためのカバー材であり、このカバー材５４は、開閉蓋５２の開放に伴って邪魔にならないように基台１ａの内側に挿入されるように構成されている。
【００３４】
ところで、このように構成された塵芥投入装置１には、換気装置８が設けられている。
【００３５】
換気装置８は、塵芥を投入する塵芥投入部を構成する前述した開閉蓋５２を備えた投入口１ｂの近傍に設けられた吸気口８１（図６参照）、ファン８３及び脱臭手段８４とを備えており、以下、図６を参照しながら具体的に説明する。
【００３６】
吸気口８１は、前記取付プレートＡ１に投入口１ｂの上方に接近して形成されている。この吸気口８１にはガラリ８２がネジ止め等によって着脱自在に設けられている。
【００３７】
ファン８３は、前記取付プレートＡ１の内側（図６において隔壁Ａの左側）となる上記吸気口８１の上方に底面から空気を吸い込んで上面から上方に吐き出すように配設されている。
【００３８】
脱臭手段８４は、ファン８３の下方に上記吸気口８１と対峙するようにして配設されている。この脱臭手段８４は、２つの脱臭フィルタ８５、８６と紫外線ランプ８７とを備え、ケーシング８８に収容されている。具体的には、ケーシング８８は吸気口８１とファン８３とを連通させる連通路を形成しており、このケーシング８８内に、脱臭フィルタ８５が吸気口８１と対峙して垂直に、脱臭フィルタ８６がファン８３の吸込面である底面に沿って水平に、これら脱臭フィルタ８５、８６間に紫外線ランプ８７が斜めに傾斜した状態でそれぞれ配置されている。
【００３９】
そして、脱臭フィルタ８５、８６及び紫外線ランプ８７は、上記ガラリ８２を取り外すことによってケーシング８８ごと吸気口８１を通じて外部に取り出すことができるようになっている。
【００４０】
従って、ファン８３を作動させることによって吸気口８１から内部に吸い込まれた外気はケーシング８８内に導入され、このケーシング８８内において脱臭フィルタ８５、８６を通過した後にファン８３から上方に排出されることになる。
【００４１】
また、脱臭フィルタ８５、８６は、光触媒を用いた光触媒フィルタが用いられており、上述したようにファン８３を作動させて外気を吸い込んだ際に、光触媒フィルタに紫外線ランプ８７によって紫外線を照射することで、この光触媒フィルタを通過する外気に含まれる臭気を脱臭するようにしている。
【００４２】
次に、このように構成された塵芥投入装置の動作について説明する。
【００４３】
まず、下方位置に配置されたバケット２に塵芥を投入する場合には、バケット受け５の開閉蓋５２を手前に引いてバケット受け５を前方に回動させることで投入口１ｂを開放する。このバケット受け５の回動に伴ってバケット２も当該バケット受け５と同様に前方に回動して上面開口を通じて塵芥が投入可能なように配置される。
【００４４】
この際、バケット２の連結ローラ２２と作動アーム３３とは、連結ローラ２２の軸部２２ａが作動アーム３３の先端部長孔３３ａをスライドすることによって、バケット２の回動に支障を来さないように当該バケット２の回動とともに移動する（図２一点鎖線参照）。そして、この連結ローラ２２と作動アーム３３との移動に伴って軸部２２ａに連結されたワイヤ６１が図２に一点鎖線で示すように投入口１ｂ側に引き寄せられてウエイト６を上方に移動させる。これによりバケット２及び開閉蓋（バケット受け５を含む）５２はウエイト６の作用により急激に開放することなくゆっくりと投入位置に配置される。
【００４５】
この状態でバケット２内に塵芥を投入してバケット受け５の開閉蓋５２を閉塞する。この際、バケット２及び開閉蓋５２は、上述した開放する時とは逆にウエイトの作用により軽い力で楽に閉じることができる。
【００４６】
このようにして開閉蓋５２を閉塞すると、これを検出装置５３が検出することで開閉蓋５２を図示しない固縛手段により固縛して投入口１ｂの開放を阻止した後、バケット２の反転作動を行う。
【００４７】
バケット２の反転作動は、駆動モータ３１を回転駆動させて下方に垂下した状態になっている回動アーム３２を駆動軸３１ａを介して図２において時計回りの方向に回動させる。
【００４８】
これにより作動アーム３３が回動アーム３２やガイドローラ２１などの位置関係の変位に従って姿勢を変えながら上方に移動し、バケット２のガイドローラ２１がガイドレール４に沿って上方に移動することで当該バケット２を上方に移送する（図７一点鎖線参照）。この際、作動アーム３３は、その先端部の連結ローラ２２がガイドレール４の上面を転動するとともに、ウエイト６により上方に引き上げる作用が働くことによって安定した状態でスムーズに上方に移動し、上記バケット２をガイドローラ２１の作用と相まって上方に円滑に移送させることができる。
【００４９】
続いて、さらに回動アーム３２を、時計回りの方向に回動させることで、作動アーム３３がさらに姿勢を変えながら上方に移動し、これに伴ってバケット２のガイドローラ２１がガイドレール４の上端部４１に配置される。
【００５０】
そして、この位置からさらに回動アーム３２を回動させることで、ガイドローラ２１と、作動アーム３３が連結している連結ローラ２２との上下位置が逆転して連結ローラ２２がガイドローラ２１よりも上方に導かれる。
【００５１】
これによりバケット２の上下がガイドローラ２１を中心にして逆転して当該バケット２が図７に二点鎖線で示すように反転し、バケット２内の塵芥を図１に示す貯留槽７の投入ホッパ７１に投入してシュート７２を通じてドラム内に導入する。このようにバケット２が反転する際にも作動アーム３３の先端部をウエイト６により上方に引き上げる作用が働き、これによって当該バケット２を円滑に反転させることができる。即ち、ウエイト６によってバケット２の開閉動作、移送及び反転動作が円滑に行われるように補助している。
【００５２】
この後、回動アーム３２を元の下方に垂下する位置まで逆方向の反時計回りに回動させことで、上述した動作と逆の動作によってバケット２が元の下方位置に配置される。なお、回動アーム３２には、当該回動アーム３２に対する作動アーム３３の角度を保持するためのストッパ３２ａが設けられており、回動アーム３２が反時計回りへ回動する初期時において、このストッパ３２ａにより作動アーム３３が回動アーム３２に対して投入口１ｂ側である前方側に移動するのを阻止することによって、バケット２が反転状態から円滑に復帰できるようにしている。
【００５３】
また、バケット２が反転復帰及び下降する際には、ウエイト６がこれら動作と反対方向に作用するが、このウエイト６によりバケット２の急激な反転復帰や下降を防止できるので安全性を高める上でむしろ好ましい。
【００５４】
駆動モータ３１の駆動制御は、例えば回動アーム３２の回動位置をリミットスイッチや近接センサなどの検出装置により検出して上述したようにバケット２を上方位置で反転させるとともに、バケット２を下方位置に配置するようにすればよい。
【００５５】
そして、バケット２が下方位置に配置されてこれを上記検出装置が検出した際には駆動モータ３１の駆動停止とともに、固縛手段を解除して投入口１ｂを開放可能にすることでバケット２への塵芥の投入を可能にする。なお、上述した駆動モータ３１の駆動制御及び固縛手段の解除は、リミットスイッチや近接センサなどの検出装置の他、エンコーダによる検出に基づいて行うようにしてもよい。
【００５６】
これにより上述と同様にしてバケット２に投入した塵芥を貯留槽７に導入することができる。
【００５７】
なお、上述したように駆動モータ３１によるバケット２の移送中において開閉蓋５２を閉塞状態で固縛するのは、バケット２の移送中においてもバケット受け５は下方位置のままで配置されており、この状態でバケット受け５が開放できると、バケット２が下方位置まで下降した時にバケット受け５に適正に支持されずに干渉して損傷などを招くとともに、手を突っ込むと危険であるため、これを解消して安全性を高めるようにしている。
【００５８】
また、バケット２の反転作動は、上述のように開閉蓋５２の一回ごとの開閉動作に連動して行うようにしてもよいし、また、施設などにより塵芥の一回の投入量が一定している場合には、バケット２が満杯になるであろう開閉蓋５２の開閉回数を予め設定しておき、、この回数に達した時にバケット２の反転作動を行うようにしても良い。
【００５９】
さらに、下方位置に配置したバケット２に塵芥を収容するようにしているため、投入口１ｂを通じての塵芥投入位置を極力低くすることができ、これにより塵芥の投入が容易になりバリアフリーにも対応することができる。
【００６０】
このように塵芥を収容するバケット２を装置に一体化して組み込むことにより当該バケット２の不用意な落下を防止でき、これによる部材の損傷や人身事故などを確実に防止でき、高い安全性を確保することができるとともに、周辺への塵芥の飛散も防止でき周辺環境の悪化を防止することができる。また、バケット２を簡単な機構により反転作動させることができるので装置に一体化して組み込んだ場合でも設置スペースの省スペース化を図ることができる。
【００６１】
また、この塵芥投入装置１によれば、バケット受け５の開閉蓋５２を自動開閉、つまりバケット２を自動開閉することもできる。
【００６２】
具体的には、バケット２が下方位置に配置された状態で下方に垂下している回動アーム３２を図２において反時計回りに所定量回動させ、これによって作動アーム３３を作動させてバケット２が開放する位置まで強制的に配置することで当該バケット２を開放するとともに、この逆の動作でバケット２を閉塞することができる。
【００６３】
この場合、回動アーム３２の回動に伴って作動アーム３３がバケット２を開放させる適正位置に配置できるように、ストッパなどによって両者の連結関係を保持するとともに、図示しない操作スイッチの操作に基づいて回動アーム３２を回動させる駆動モータ３１を適宜な検出装置を用いて駆動制御させることにより、上述したバケット２の開閉を行うようにすればよい。
【００６４】
ところで、上述したように塵芥を投入口１ｂを通じて投入する際において、開閉蓋５２を開放すると、これを検出装置５３が検出することで図示しない制御装置ではファン８３を作動させる。これにより投入口１ｂ周辺の外気が吸気口８１から吸い込まれ、脱臭手段８４を通過して内部に排気される。
【００６５】
従って、開閉蓋５２の開放によって内部の臭気が投入口１ｂから外部周辺に漏れ出たとしても、その臭気を吸気口８１から再び内部に吸い込むことができる。この際、吸い込んだ臭気は、紫外線ランプ８７が照射されている脱臭フィルタ８５、８６を通過することで光触媒の作用によって脱臭されて内部に排気される。
【００６６】
そして、開閉蓋５２を閉じると、これを検出装置５３が検出することで制御装置ではファン８３を所定の一定時間作動させた後に停止させる。
【００６７】
なお、紫外線ランプ８７による脱臭フィルタ８５、８６への照射は、常時でもよいし、また、脱臭フィルタ８５、８６の光触媒による脱臭機能を確保できる範囲で間欠的に行ってもよい。
【００６８】
このように塵芥の投入時においては開閉蓋５２の開閉に伴ってファン８３を作動制御して投入口１ｂの外部周辺に漂おうとする臭気を吸気口８１から内部に吸い込んで脱臭することで、当該投入口１ｂの外部周辺に内部の臭気が漂って拡散するのを防止することができ、使用者に不快感を与えることがなく、良好な環境の下で塵芥を投入することができる。
【００６９】
また、脱臭手段８４は、ガラリ８２を吸気口８１から取り外すことでケーシング８８ごと外部に引き出すことができるので、メンテナンスなどを容易に行うことができる。さらに、光触媒フィルタ（脱臭フィルタ８５、８６）は、水洗いした後に乾燥させることで脱臭機能が回復するため、繰り返して使用することができランニングコストを低減させることができる。
【００７０】
なお、上述した実施形態は、あくまでも本発明の好適な実施態様を示すものであって、本発明はこれに限定されることなく、その範囲内において種々設計変更可能である。
【００７１】
換気装置８を設けた塵芥投入装置１はあくまでも一例であって、開閉蓋の開放によって塵芥を投入口１ｂを通じて投入する塵芥投入部全般に当該換気装置８を適用することができる。例えば投入口１ｂからシュートなどを通じて塵芥を容器に収容する簡易な構造の塵芥投入部にも適用することができる。
【００７２】
また、本実施の形態では脱臭手段を設けているが、塵芥の性状や装置の規模などによっては脱臭手段を省略して換気だけを行うようにしてもよい。
【００７３】
さらに、投入口１ｂに対する吸気口８１の位置も上方に限らず、開閉蓋の開閉機構に応じて投入口１ｂ周辺の適所に設ければよい。例えば、開閉蓋を上方に引き上げるか上方に回動させて開放させる機構のものでは、投入口１ｂの下方に設ければよい。
【００７４】
また、脱臭フィルタとしては、光触媒を用いたフィルタに限らず、活性炭などの脱臭剤を用いたフィルタであってもよい。この場合、紫外線ランプは不要になる。
【００７５】
さらに、隔壁Ａで塵芥投入装置１等を外部と完全に区画するのが好ましいが、完全に区画しなくとも簡易的に区画している場合でも換気装置８は有効である。つまり、臭気の大半は開閉蓋５２を開放したときに貯留槽７内から塵芥投入装置１内を通じて投入口１ｂから漏れるため、上述のように簡易的に区画している場合でも投入口１ｂから漏れた臭気を塵芥投入装置１側に戻すことによって外部への臭気の拡散を防止することができ有効である。
【図面の簡単な説明】
【００７６】
【図１】本発明の塵芥投入装置を貯留槽とともに配置した状態を示す側面図である。
【図２】本発明の塵芥投入装置の構成を示す側面図である。
【図３】同じく塵芥投入装置を示す正面図である。
【図４】塵芥投入装置の投入部を示す正面図である。
【図５】ウエイトが連結されたワイヤを導く滑車の取付状態を示す正面図である。
【図６】換気装置の構成を示す拡大の側面図である。
【図７】塵芥投入装置のバケットの反転動作を示す側面図である。
【符号の説明】
【００７７】
１  塵芥投入装置
１ｂ  投入口
５２  開閉蓋
８  換気装置
８１  吸気口
８３  ファン
８４  脱臭手段
８５、８６  脱臭フィルタ
８７  紫外線ランプ
【図１】
2005306537.tif 000003
【図２】
2005306537.tif 000004
【図３】
2005306537.tif 000005
【図４】
2005306537.tif 000006
【図５】
2005306537.tif 000007
【図６】
2005306537.tif 000008
【図７】
2005306537.tif 000009